(57)【要約】【課題】携帯通信端末との接続状態に基づいて自動的に電源状態の制御指示を行うＡＶ機器を提供すること。【解決手段】無線により接続される携帯端末の識別情報を記憶する記憶部と、電源状態を複数のモードから選択して電源状態の指示を行う制御部と、携帯端末と通信を行う通信部と、を備え、前記制御部は、前記記憶部に記憶されている携帯端末の識別情報及び前記通信部と携帯端末との接続状態に基づいて電源状態の指示を行うこととする。【選択図】図２
2014021919.tif 000002
【特許請求の範囲】
【請求項１】
無線により接続される携帯端末の識別情報を記憶する記憶部と、
電源状態を複数のモードから選択して電源状態の指示を行う制御部と、
携帯端末と通信を行う通信部と、を備え、
前記制御部は、前記記憶部に記憶されている携帯端末の識別情報及び前記通信部と携帯端末との接続状態に基づいて電源状態の指示を行うことを特徴とするＡＶ機器。
【請求項２】
ネットワークを介して電子機器に接続され、前記制御部は前記記憶部に記憶されている携帯端末の識別情報及び前記通信部と携帯端末との接続状態に基づいて電子機器に対して電源状態の指示を行うことを特徴とする請求項１に記載のＡＶ機器。
【請求項３】
前記複数のモードは、少なくとも第１の電源モードと、第１の電源モードよりも速く起動可能な第２の電源モードと、を含むことを特徴とする請求項１又は請求項２に記載のＡＶ機器。
【請求項４】
前記制御部は、前記通信部と携帯端末の接続状態が、通信可能状態から通信不可能状態に変更したとき、電源状態を第２の電源モードから第１の電源モードへ切り換えることを特徴とする請求項３に記載のＡＶ機器。
【請求項５】
前記制御部は、携帯端末の接続状態が、通信不可能状態から通信可能状態に変更したとき、電源状態を第１の電源モードから第２の電源モードへ切り換えることを特徴とする請求項３に記載のＡＶ機器。
【請求項６】
前記第１の電源モードは、前記第２の電源モードよりも消費電力が少ない電源モードであることを特徴とする請求項３〜請求項５のいずれか１項に記載のＡＶ機器。
【請求項７】
前記制御部は前記通信部と携帯通信端末との通信状態が通信可能状態から通信不可能状態に変わったときに、当該通信状態の変動から所定時間経過後に電源状態を第１の電源モードにすることを特徴とする請求項３〜請求項６のいずれか１項に記載のＡＶ機器。
【請求項８】
前記制御部は電源状態を前記第１の電源モード又は前記第２の電源モードにしてから、所定期間が経過するまでは、携帯通信端末との通信状態が変動しても電源状態を変更しないことを特徴とする請求項３〜請求項７のいずれか１項に記載のＡＶ機器。
【請求項９】
前記第１の電源モードは電源オフモードであり、前記第２の電源モードは前記電源オフモードよりも起動が速い起動スタンバイモードであることを特徴とする請求項３〜請求項８のいずれか１項に記載のＡＶ機器。
【発明の詳細な説明】
【技術分野】
【０００１】
本発明は、携帯端末と無線接続されるＡＶ機器に関する。
【背景技術】
【０００２】
家庭内において複数の電子機器が設置されているときに、各電子機器の電源のオン、オフを個別に行うのは煩雑である。そこで近年ではＷＯＬ（Ｗａｋｅ  Ｏｎ  Ｌａｎ）を用いたネットワークシステムを利用することにより、各電子機器の電源のオン、オフを一括管理することが可能になっている。
【０００３】
複数の電子機器の電源制御はユーザが所持する携帯通信端末を用いて行うことができ、例えば特許文献１では、携帯端末を用いて電源制御を行う制御装置を遠隔操作し、電子機器を起動する（電源をオンにする）ことが開示されている。
【先行技術文献】
【特許文献】
【０００４】
【特許文献１】特開２００４−１８０１０２号公報
【発明の概要】
【発明が解決しようとする課題】
【０００５】
ところで、家庭内に複数の電子機器が設置されている場合において、ユーザが外出しているときは節電を図るために各電子機器の電源状態をスタンバイモード（通常稼働状態よりも消費電力が少ないモード）にすることが望ましい。
【０００６】
上記特許文献１によれば携帯端末を用いて家庭内の電子機器の電源制御を一括して行うことができるが、携帯端末が制御装置の通信可能エリアに存在しなければ制御装置を遠隔操作することができない。また外出する度に、携帯端末を操作して各電子機器の電源状態を変更するのは煩雑である。
【０００７】
本発明は、上述した問題点に鑑み、携帯通信端末との接続状態に基づいて自動的に電源状態の制御指示を行うＡＶ機器を提供することを目的とする。
【課題を解決するための手段】
【０００８】
上記目的を達成するために本発明のＡＶ機器は、無線により接続される携帯端末の識別情報を記憶する記憶部と、電源状態を複数のモードから選択して電源状態の指示を行う制御部と、携帯端末と通信を行う通信部と、を備え、前記制御部は、前記記憶部に記憶されている携帯端末の識別情報及び前記通信部と携帯端末との接続状態に基づいて電源状態の指示を行うことを特徴とする。
【０００９】
この構成によると、携帯端末の識別情報と接続状態（通信状態）に基づいて電源状態の管理が行われる。つまり携帯端末の識別情報と接続状態に基づいて自動的に電源状態の管理が行われる。従ってユーザは電源状態の管理を行うための作業を行う必要がない。
【００１０】
また本発明は上記構成のＡＶ機器において、ネットワークを介して電子機器に接続され、前記制御部は前記記憶部に記憶されている携帯端末の識別情報及び前記通信部と携帯端末との接続状態に基づいて電子機器に対して電源状態の指示を行うことが望ましい。
【００１１】
この構成によると、携帯端末の識別情報と接続状態に基づいてネットワーク接続される電子機器に対して電源状態の指示を行う。従って、ネットワーク接続される電子機器の電源状態を一括管理できる。
【００１２】
また本発明は上記構成のＡＶ機器において、前記複数のモードは、少なくとも第１の電源モードと、第１の電源モードよりも速く起動可能な第２の電源モードと、を含むことが望ましい。
【００１３】
また本発明は上記構成のＡＶ機器において、前記制御部は、前記通信部と携帯端末の接続状態が、通信可能状態から通信不可能状態に変更したとき、電源状態を第２の電源モードから第１の電源モードへ切り換えることが望ましい。
【００１４】
また本発明は上記構成のＡＶ機器において、前記制御部は、携帯端末の接続状態が、通信不可能状態から通信可能状態に変更したとき、電源状態を第１の電源モードから第２の電源モードへ切り換えることが望ましい。
【００１５】
また本発明は上記構成のＡＶ機器において、前記第１の電源モードは、前記第２の電源モードよりも消費電力が少ない電源モードであることが望ましい。
【００１６】
また本発明は上記構成のＡＶ機器において、前記制御部は前記通信部と携帯通信端末との通信状態が通信可能状態から通信不可能状態に変わったときに、当該通信状態の変動から所定時間経過後に電源状態を第１の電源モードにすることが望ましい。
【００１７】
また本発明は上記構成のＡＶ機器において、前記制御部は電源状態を前記第１の電源モード又は前記第２の電源モードにしてから、所定期間が経過するまでは、携帯通信端末との通信状態が変動しても電源状態を変更しないことが望ましい。
【００１８】
また本発明は上記構成のＡＶ機器において、前記第１の電源モードは電源オフモードであり、前記第２の電源モードは前記電源オフモードよりも起動が速い起動スタンバイモードであることが望ましい。
【発明の効果】
【００１９】
本発明によると、携帯端末の識別情報と接続状態（通信状態）に基づいて電源状態の管理が行われる。つまり携帯端末の識別情報と接続状態に基づいて自動的に電源状態の管理が行われる。従ってユーザは電源状態の管理を行うための作業を行う必要がない。
【図面の簡単な説明】
【００２０】
【図１】は、ネットワークシステムを示す図である。
【図２】は、本発明のＡＶ機器の構成の一例を示すブロック図である。
【図３】は、電子機器の構成の一例を示すブロック図である。
【図４】は、本発明のＡＶ機器の制御部が行う処理の一例を示す第１のフローチャートである。
【図５】は、本発明のＡＶ機器の制御部が行う処理の一例を示す第２のフローチャートである。
【発明を実施するための形態】
【００２１】
本発明の実施形態を説明するにあたって、まずネットワークシステムについて説明を行う。図１に示すようにＡＶ機器１はネットワークを介して電子機器（例えばＤＶＤプレーヤやＢＤプレーヤ）２及び電子機器３に接続されている。また、ＡＶ機器１は携帯通信端末４がＡＶ機器１の通信可能範囲内に存在するときに携帯通信端末（例えば携帯電話）４と無線接続する。ネットワークシステムとしては複数の電子機器の電源状態を一括管理可能なソフトウェアを用いたネットワークシステムであれば特に限定されるものではない。本実施形態においてネットワークシステムはＷＯＬ（Ｗａｋｅ  Ｏｎ  Ｌａｎ）を用いたネットワークシステムとして以下説明を行うが、例えばＳＭＳ（Ｓｙｓｔｅｍｓ  Ｍａｎａｇｅｍｅｎｔ  Ｓｅｒｖｅｒ）、ＬＡＮＤｅｓｋ  Ｍａｎａｇｅｍｅｎｔ  Ｓｕｉｔｅ等のネットワークシステムであってもよい。
【００２２】
なお、ネットワークシステムに接続されているＡＶ機器１及び電子機器２、電子機器３はＷＯＬを用いたネットワークシステム対応機器であることとする。また、ネットワークシステムに接続される電子機器を２台としているが、あくまでも例示であってネットワークに接続される電子機器の台数はこれに限られるものではない。また、以下、ＡＶ機器１を操作して電子機器２及び電子機器３の電源状態を管理することとするが、電子機器２を操作してＡＶ機器１及び電子機器３の電源状態を管理することとしてもよい。また、ＡＶ機器１としてはネットワークシステムに接続されている電子機器の電源状態を一括管理する機能のみを備える装置であることとしてもよいし、他の機能（ＤＶＤプレーヤー等の電子機器としての機能）を兼ね備える装置であることとしてもよい。
【００２３】
ＷＯＬではネットワークを介してネットワークに接続されている電子機器の電源制御を行うことができ、ＡＶ機器１を操作して電子機器２及び電子機器３の電源状態を制御することができる。電子機器２及び電子機器３の電源状態を制御するためにＡＶ機器１は「Ｍａｇｉｃ  Ｐａｃｋｅｔ」（登録商標）とよばれるイーサネット（登録商標）フレームを電源制御パケットとして生成し、電子機器２及び電子機器３送信する。具体的には、Ｍａｇｉｃ  Ｐａｃｋｅｔにはブロードキャストアドレス（０ｘｆｆデータ）と各電子機器の識別情報（ＭＡＣアドレス）とが含まれており、Ｍａｇｉｃ  Ｐａｃｋｅｔを受信した電子機器は、Ｍａｇｉｃ  Ｐａｃｋｅｔに含まれるＭＡＣアドレスと自身のＭＡＣアドレスとを比較することで、その電源状態制御の指示が自機に対する指示であるか否かを判定する。
【００２４】
例えばＭａｇｉｃ  ＰａｃｋｅｔにＭＡＣアドレスとして電子機器２のＭＡＣアドレスのみが含まれるときは、電子機器２は当該Ｍａｇｉｃ  Ｐａｃｋｅｔの指示に基づいて電源状態を制御するが、電子機器３は自機に対する指示ではないと判断し、電源状態を制御しない。
【００２５】
ＡＶ機器１が制御可能な電源状態（電源モード）としては、大きく分けて、通常稼働モード、高速起動スタンバイモード、標準スタンバイモードがある。通常稼働モードは電子機器が使用されている状態であり、電源状態において最も消費電力が大きい電源状態である。高速起動スタンバイモードは電子機器が使用されていない状態において通常稼働モードよりも消費電力が小さく、且つ、後述する標準スタンバイモードよりも起動が高速な電源状態である。高速起動スタンバイモードとしては、例えばプレーヤー機器であれば表示画面への表示出力が停止され、ＣＰＵがクロックオフされている状態（内部通電状態）が該当する。
【００２６】
標準スタンバイモードは高速起動スタンバイモードより消費電力が小さい電源状態である。例えばＣＰＵへの通電が停止され、Ｍａｇｉｃ  Ｐａｃｋｅｔを受信するパケット受信手段（例えばＬＡＮアダプタ）及びＭａｇｉｃ  Ｐａｃｋｅｔの指示に基づいて電源状態を管理する電源管理手段（例えばサブマイコン）のみに通電されている状態が該当する。なお、ＣＰＵへの通電停止により大幅に消費電力が小さくなることと、メモリへの通電による消費電力の増加は微量であることから、標準スタンバイモードにおいて、パケット受信手段及び電源管理手段に加えてメモリにも通電することとしてもよい。
【００２７】
電源状態の段階として３つの電源状態について説明したが、電源状態の段階数はこれに限られるものではない。例えば上述したように標準スタンバイモードにおいてメモリに通電するか否かによって別の電源状態として規定されていてもよい。なお、特許請求の範囲において、第１の電源モードは標準スタンバイモードに相当し、第２の電源モードは高速起動スタンバイモード又は通常稼働モードに相当することとする。
【００２８】
以下に本発明の実施形態について図面を参照して説明する。但し、以下に示す実施形態は、本発明の技術的思想を具体化するために本発明のＡＶ機器の一例を示すものであって、本発明をこのＡＶ機器に特定することを意図するものではなく、特許請求の範囲に含まれるその他の実施形態のＡＶ機器にも等しく適応し得るものである。
【００２９】
図２は本発明のＡＶ機器１の構成を示すブロック図である。ＡＶ機器１は制御部（メインマイコン）１１、パケット送信部１２、通信部１３、記憶部１４を備える。
【００３０】
制御部（メインマイコン）１１はＡＶ機器１全体を総括的に制御する制御手段である。制御部１１はＣＰＵ１０１とＲＯＭ１０２とＲＡＭ（メモリ）１０３とを含んでいる。ＲＯＭ１０２には制御部１１が実行するプログラム、プログラムの実行に必要なパラメータやデータが記憶されている。ＣＰＵ１０１はＲＯＭ１０２に記憶されている各種プログラムを実行する。ＲＡＭ（メモリ１０３）は各種処理の過程で得られるデータや各種処理の結果得られるデータを一時的に格納する。これらＣＰＵ１０１、ＲＡＭ１０２、ＲＯＭ１０３等は、バスを介して接続されている。なお、ＣＰＵ１０１、ＲＯＭ１０２及びＲＡＭ１０３はこれらの一部または全部を１チップに集積化しても構わない。
【００３１】
制御部１１は所定の条件下（後述）においてＭａｇｉｃ  Ｐａｃｋｅｔを生成し、パケット送信部１２を介してＭａｇｉｃ  Ｐａｃｋｅｔを電子機器２及び電子機器３に送信する（言い換えれば、電源状態に関する指示を行う）。
【００３２】
パケット送信部１２はネットワークを介して接続されている他の機器に対してＭａｇｉｃ  Ｐａｃｋｅｔを送信する。本実施形態では説明の簡略化のためのパケット送信部１２を後述する通信部１３とは別構成としているが、パケット送信部１２が通信部１３に含まれることとしてもよいし、通信部１３がパケット送信部１２を兼ねる（Ｍａｇｉｃ  Ｐａｃｋｅｔの送信を行う機能を有する）こととしてもよい。
【００３３】
通信部１３はネットワークを介して電子機器２、電子機器３及び携帯通信端末４と通信を行う。通信部１３としては例えばイーサネットの無線ＬＡＮ規格であるＷｉ−Ｆｉ（Ｗｉｒｅｌｅｓｓ  Ｆｉｄｅｌｉｔｙ）を用いることができる。これらはネットワークインターフェースカードとして利用できるものである。通信規格としてはＷｉ−Ｆｉに限られるものではなく、Ｂｌｕｅｔｏｏｔｈ（登録商標）、赤外線などであってもよい。また、通信部１３は携帯通信端末４から発せられる電波（携帯通信端末４の識別情報を含む）を検知可能であることとしてもよい。
【００３４】
記憶部１４には電子機器２、電子機器３、携帯通信端末４の識別情報（ＭＡＣアドレス）が登録されている。
【００３５】
図３はネットワークを介してＡＶ機器１に接続される電子機器２及び電子機器３の構成を示すブロック図である。以下、電子機器２を例に説明する。電子機器２は制御部（メインマイコン）２１、パケット受信部２２、通信部２３、サブマイコン２４を備える。
【００３６】
制御部（メインマイコン）２１はＡＶ機器１全体を総括的に制御する制御手段である。制御部２１はＣＰＵ２０１とＲＯＭ２０２とＲＡＭ（メモリ）２０３とを含んでいる。ＲＯＭ２０２には制御部２１が実行するプログラム、プログラムの実行に必要なパラメータやデータが記憶されている。ＣＰＵ２０１はＲＯＭ２０２に記憶されている各種プログラムを実行する。ＲＡＭ（メモリ２０３）は各種処理の過程で得られるデータや各種処理の結果得られるデータを一時的に格納する。これらＣＰＵ２０１、ＲＡＭ２０２、ＲＯＭ２０３等は、バスを介して接続されている。なお、ＣＰＵ２０１、ＲＯＭ２０２及びＲＡＭ２０３はこれらの一部または全部を１チップに集積化しても構わない。
【００３７】
パケット受信部２２はネットワークを介して接続されている他の機器（ＡＶ機器１）からＭａｇｉｃ  Ｐａｃｋｅｔを送信する。本実施形態では説明の簡略化のためのパケット受信部２２を後述する通信部２３とは別構成としているが、パケット受信部２２が通信部２３に含まれることとしてもよいし、通信部２３がパケット受信部２２を兼ねる（Ｍａｇｉｃ  Ｐａｃｋｅｔの送信を行う機能を有する）こととしてもよい。
【００３８】
通信部２３はネットワークを介して少なくともＡＶ機器１と通信を行う。本実施形態において通信部２３としては上述したようにＷｉ−Ｆｉが用いられているため、通信部２３はＡＶ機器１の他、電子機器３及び携帯通信端末４とも通信が可能である。
【００３９】
サブマイコン２４はパケット受信部２２がＭａｇｉｃ  Ｐａｃｋｅｔを受信したときに、当該Ｍａｇｉｃ  Ｐａｃｋｅｔが電子機器２に対する電源制御パケットであるか否かを判定する。上述したようにＭａｇｉｃ  Ｐａｃｋｅｔには電源制御対象の装置のＭＡＣアドレスが含まれており、Ｍａｇｉｃ  Ｐａｃｋｅｔに含まれるＭＡＣアドレスと電子機器２のＭＡＣアドレスを比較することによりＭａｇｉｃ  Ｐａｃｋｅｔが電子機器２に対する電源制御パケットであるか否かを判定する。
【００４０】
サブマイコン２４はＭａｇｉｃ  Ｐａｃｋｅｔが電子機器２に対する電源制御パケットであるときにＭａｇｉｃ  Ｐａｃｋｅｔの電源制御指示に従って電子機器２の電源状態を制御する。なお、本実施形態においてはサブマイコン２４が電源状態の制御を行うこととしているが、制御部２１が電源状態の制御を行うこととしてもよい。すなわち、サブマイコン２４はＭａｇｉｃ  Ｐａｃｋｅｔが電子機器２に対する電源制御パケットであるときにＭａｇｉｃ  Ｐａｃｋｅｔを制御部１１に転送し、Ｍａｇｉｃ  Ｐａｃｋｅｔを取得した制御部２１が電源状態の制御を行う。なお、サブマイコン２４にはシステム制御用のクロック等のタイマ機能が設けられている。
【００４１】
図４は本発明のＡＶ機器１の制御部１１が行う処理の流れを示す第１のフローチャートである。図４のフローチャートは携帯通信端末４がＡＶ機器１の通信部１３との通信可能エリアから通信不可能エリアに移動した場合において、ＡＶ機器１の制御部１１が行う処理の流れを示すフローチャートである。言い換えれば、図４のフローチャートに示す処理は、ユーザが在宅しており電子機器２、３の電源状態が高速起動スタンバイモード又は通常稼働モードであるとき（後述する図５に示すフローチャートのステップＳ１３の処理を終了した後）に開始される。すなわちＡＶ機器１の制御部１１は図４に示すフローチャートの処理と図５に示すフローチャートの処理を交互に行う。
【００４２】
ステップＳ０１において制御部１１は記憶部１４に記憶されている識別情報と一致する識別情報を所持する携帯通信端末（本実施形態においては携帯通信端末４）が通信部１３との通信不可能エリアに存在するか否かを判定する。携帯通信端末はユーザと共に（すなわちユーザに所持されて）移動する。従って本フローチャートにおいて「携帯通信端末４が通信部１３との通信不可能エリアに存在する」は、「ユーザが外出しているとき（ユーザが電子機器２、３を使用しないとき）」と言い換えることができる。
【００４３】
携帯通信端末４が通信部１３との通信不可能エリアに存在するか否かの判定方法は特に限られるものではない。例えば携帯通信端末４がネットワークから離脱したときや、通信部１３との間で赤外線通信又はＢｌｕｅｔｏｏｔｈ通信ができなくなったとき、携帯通信端末４から発られる電波を検知できなくなったときに、携帯通信端末４が通信部１３との通信不可能エリアに存在すると判定する。
【００４４】
具体的には、上述したように記憶部１４には携帯通信端末４のＭＡＣアドレスが記憶されており、例えば、制御部１１はネットワーク上に携帯通信端末４を示すＭＡＣアドレスが存在しないときに携帯通信端末４が通信部１３との通信不可能エリアに存在すると判定する。携帯通信端末４が通信部１３との通信不可能エリアに存在するとき（ステップＳ０１のＹ）はステップＳ０２に進み、携帯通信端末４が通信部１３との通信不可能エリアに存在しない（通信可能エリアに存在する）とき（ステップＳ０１のＮ）はステップＳ０１に戻る。
【００４５】
ステップＳ０２において制御部１１はＭａｇｉｃ  Ｐａｃｋｅｔを生成する。Ｍａｇｉｃ  Ｐａｃｋｅｔには上述したようにブロードキャストアドレスと電子機器２及び電子機器３のＭＡＣアドレスが含まれ、さらに、電源制御指示が含まれる。電源制御指示としては上述した電源状態のいずれかを指定する。携帯通信端末４が通信部１３との通信不可能エリアに存在するときは、電子機器２及び電子機器３は携帯通信端末４のユーザによって使用されていないため本実施形態において制御部１１は電源制御指示として消費電力が最も小さい標準スタンバイモード（第１の電源モード）を指定する。
【００４６】
ステップＳ０３において制御部１１はＭａｇｉｃ  Ｐａｃｋｅｔを電子機器２及び電子機器３に送信する。
【００４７】
本実施形態によれば携帯通信端末が通信可能エリアから通信不可能エリアに移動したときにネットワークに接続されている電子機器に対して電源状態を標準スタンバイモードにする指示が行われる。当該指示を受けた電子機器は自機の電源状態を標準スタンバイモードに変更（制御）するので当該電子機器の消費電力が小さくなる。つまり、ユーザが外出すると、自動的に電子機器の電源状態が標準スタンバイモードになるので、ユーザは煩雑な設定を行うことなく、節電を図ることができる。
【００４８】
図５は本発明のＡＶ機器１の制御部１１が行う処理の流れを示す第２のフローチャートである。図５のフローチャートは携帯通信端末４がＡＶ機器１の通信部１３との通信不可能エリアから通信可能エリアに移動した場合において、ＡＶ機器１の制御部１１が行う処理の流れを示すフローチャートである。言い換えれば、図５のフローチャートに示す処理は、ユーザが外出しており電子機器２、３の電源状態が標準スタンバイモードであるとき（前述した図４に示すフローチャートのステップＳ０３の処理を終了した後）に開始される。
【００４９】
ステップＳ１１において制御部１１は携帯通信端末４が通信部１３との通信可能エリアに存在するか否かを判定する。ユーザは携帯通信端末を常に所持していると考えられる。従って本フローチャートにおいて「携帯通信端末４が通信部１３との通信可能エリアに存在する」は、「ユーザが帰宅したとき（ユーザが電子機器２、３を使用する可能性があるとき）」と言い換えることができる。
【００５０】
携帯通信端末４が通信部１３との通信可能エリアに存在するか否かの判定方法は、携帯通信端末４が通信部１３との通信不可能エリアに存在するか否かの判定方法と同様に、特に限られるものではない。例えば携帯通信端末４がネットワークに接続したときや、通信部１３との間で赤外線通信又はＢｌｕｅｔｏｏｔｈ通信が行われたとき、携帯通信端末４から発られる電波を検知したときに、携帯通信端末４が通信部１３との通信可能エリアに存在すると判定する。
【００５１】
携帯通信端末４が通信部１３との通信可能エリアに存在するとき（ステップＳ１１のＹ）はステップＳ１２に進み、携帯通信端末４が通信部１３との通信可能エリアに存在しない（通信不可能エリアに存在する）とき（ステップＳ１１のＮ）はステップＳ１１に戻る。
【００５２】
ステップＳ１２において制御部１１はＭａｇｉｃ  Ｐａｃｋｅｔを生成する。Ｍａｇｉｃ  Ｐａｃｋｅｔには上述したようにブロードキャストアドレスと電子機器２及び電子機器３のＭＡＣアドレスが含まれ、さらに、電源制御指示が含まれる。電源制御指示としては上述した電源状態のいずれかを指定する。携帯通信端末４が通信部１３との通信可能エリアに存在するときは、電子機器２及び電子機器３が携帯通信端末４のユーザによって使用される可能性があるため、本実施形態において制御部１１は電源制御指示として起動時間を短縮化するために高速起動スタンバイモード（第２の電源モード）を指定する。
【００５３】
ステップＳ１３において制御部１１はＭａｇｉｃ  Ｐａｃｋｅｔを電子機器２及び電子機器３に送信する。
【００５４】
本実施形態によれば携帯通信端末が通信不可能エリアから通信可能エリアに移動したときにネットワークに接続されている電子機器に対して電源状態を高速起動スタンバイモードにする指示が行われる。当該指示を受けた電子機器は自機の電源状態を高速起動スタンバイモードに変更（制御）するのでユーザが電子機器を使用する際の当該電子機器の起動時間が短縮化される。つまり、ユーザが帰宅すると、電子機器の電源状態が高速起動スタンバイモードになるのでユーザは任意のタイミングで即座に電子機器を使用することができる。
【００５５】
なお、本実施形態のステップＳ１２において制御部１１は電源制御指示として通常稼働モードを指定することとしてもよい。これにより電子機器を起動する手間を省くことができる。
【００５６】
上記各実施形態においてＡＶ機器１の制御部１１は携帯通信端末４が通信可能エリアに存在するか、通信不可能エリアに存在するかに基づいて電子機器２及び電子機器３の電源状態を所定の電源モードにする指示を行うこととしたが、ＡＶ機器１の電源状態を所定の電源モードにする指示を行うこととしてもよいし、ＡＶ機器１、電子機器２、電子機器３の電源状態を所定の電源モードにする指示を行うこととしてもよい。
【００５７】
なお、ＡＶ機器１の電源状態が標準スタンバイモードであるときは、制御部１１は通電が停止されているので、自機に対するＭａｇｉｃ  Ｐａｃｋｅｔを生成することができない。従って、ＡＶ機器１はパケット受信部及びサブマイコン（共に図２において図示せず）を備えることが望ましい。これにより、移動通信端末４が通信部１４との通信エリアに存在することとなったときは、ＡＶ機器１のパケット受信部が、ＡＶ機器１のパケット受信部を介して携帯通信端末４から送信されるＭａｇｉｃ  Ｐａｃｋｅｔを取得する。
【００５８】
そして、そのＭａｇｉｃ  Ｐａｃｋｅｔが電子機器１に対する電源制御パケットであるときはＡＶ機器１のサブマイコンが電源状態の制御を行う。これによって制御部１１は通電される。そして、制御部１１はＭａｇｉｃ  Ｐａｃｋｅｔを生成し、電子機器２及び電子機器３に対してＭａｇｉｃ  Ｐａｃｋｅｔを送信する。
【００５９】
また、ＡＶ機器１の制御部１１は電子機器２及び電子機器３のＭＡＣアドレスと電源制御指示を含むＭａｇｉｃ  Ｐａｃｋｅｔを送信しているが、電子機器毎に電源制御指示を含むＭａｇｉｃ  Ｐａｃｋｅｔを送信することとしてもよい。これにより電子機器毎に電源制御指示を異なるものとすることができる。例えば帰宅後の電源制御において、使用する頻度が極めて高い電子機器については通常稼働モードとし、使用する頻度が比較的高い電子機器については高速起動スタンバイモードとするように設定する。どの電子機器をどの電源状態とするかの設定はユーザが行うこととしてもよいし、使用頻度等を計測し、計測結果に基づいて制御部１１が設定することとしてもよい。
【００６０】
また、ＡＶ機器１の制御部１１は携帯通信端末４との通信状態（すなわち携帯通信端末４が通信部１３との通信可能エリアに存在するか否か）によって電源モードを第１の電源モード及び第２の電源モードのいずれかとする指示を行うこととしたがこれに限られない。例えば３以上の電源モードから１の電源モードを選択して指示を行うこととしてもよい。具体的には携帯通信端末４と通信部１３の通信状況、すなわち電波強度に基づいて段階的に電源モードを変更することとしてもよい。また、上述したように使用頻度に基づいて電子機器毎に電源モードを選択し、電子機器毎に電源モードを指示することとしてもよい。
【００６１】
また、ＡＶ機器１の制御部１１は、携帯通信端末４が通信部１３との通信可能エリアから通信不可能エリアに移動したときにＭａｇｉｃ  Ｐａｃｋｅｔを生成し、電子機器２及び電子機器３に対して送信することとしているが、携帯通信端末４が通信部１３との通信可能エリアから通信不可能エリアに移動した後、所定期間経過するまではＭａｇｉｃ  Ｐａｃｋｅｔを生成（又は送信）しないこととしてもよい。これにより一時的な外出時において、電子機器２及び電子機器３の電源状態が標準スタンバイモードに変更（制御）されるのを防ぐことができる。
【００６２】
また、ＡＶ機器１の制御部１１は、携帯通信端末４が移動する度（通信部１３との通信可能エリアから通信不可能エリアに移動する度、又は、通信部１３との通信不可能エリアから通信可能エリアに移動する度）にＭａｇｉｃ  Ｐａｃｋｅｔを生成し、電子機器２及び電子機器３に対して送信することとしているが、Ｍａｇｉｃ  Ｐａｃｋｅｔを生成してから（或いは送信してから）所定時間経過するまでは新たにＭａｇｉｃ  Ｐａｃｋｅｔを生成（送信）しないこととしてもよい。これにより携帯通信端末４の移動（ユーザの外出及び帰宅）が短期間に繰り返し行われたときに、電子機器２及び電子機器３の電源状態の変更が頻繁に行われるのを防ぐことができる。
【符号の説明】
【００６３】
１              ＡＶ機器
２，３          電子機器
１１，２１      制御部（メインマイコン）
１２            パケット送信部
１３，２３      通信部
２２            パケット受信部
２４            サブマイコン（電源管理手段）
１０１，２０１  ＣＰＵ
１０２，２０２  ＲＯＭ
１０３，２０３  ＲＡＭ（メモリ）
【図１】
2014021919.tif 000003
【図２】
2014021919.tif 000004
【図３】
2014021919.tif 000005
【図４】
2014021919.tif 000006
【図５】
2014021919.tif 000007